(57)【要約】 【課題】  施工が容易で、任意の箇所に着脱可能な構成としたプレート、その製造方法及び建造物を提供する。【解決手段】  樹脂モルタル（３０）からなるプレート（２）であって、プレート本体（８）の一面部に固定手段（カーペットタイル６、面ファスナー１０）を一体に備え、固定手段を以て着脱可能に固定される構成である。プレート本体（８）の成形型（４２）にアクリル系樹脂（３２）を含む樹脂モルタル（３０）を充填する工程と、成形型内で樹脂モルタルを硬化させ、プレート本体を形成する工程と、成形型からプレート本体を取り出す工程と、プレート本体に樹脂モルタルの硬化前又は硬化後に固定手段（面ファスナー１０）を設置する工程とを含んでいる。【選択図】        図１
2005220670.tif 000002
【特許請求の範囲】
【請求項１】
樹脂モルタルからなるプレートであって、
プレート本体の一面部に固定手段を一体に備え、前記固定手段を以て着脱可能に固定される構成としたことを特徴とするプレート。
【請求項２】
前記プレート本体は、アクリル系樹脂を含む樹脂モルタルで一体成形されてなることを特徴とする請求項１記載のプレート。
【請求項３】
前記固定手段は、前記プレート本体の一面部に設置された多数の鉤又はループで構成されたことを特徴とする請求項１記載のプレート。
【請求項４】
前記固定手段は、前記プレート本体の一面部に接着剤層を備える構成としたことを特徴とする請求項１記載のプレート。
【請求項５】
前記固定手段は、前記プレート本体の一面部に備えられた多数の鉤と、この鉤と着脱可能な多数のループを備える支持体と、を備えることを特徴とする請求項１記載のプレート。
【請求項６】
前記固定手段は、前記プレート本体の一面部に備えた多数のループと、このループと着脱可能な多数の鉤を備えた支持体と、を備えることを特徴とする請求項１記載のプレート。
【請求項７】
前記支持体は、接着剤が塗布された被取付面を有する構成とした請求項５又は６記載のプレート。
【請求項８】
プレート本体の成形型にアクリル系樹脂を含む樹脂モルタルを充填する工程と、
前記成形型内で前記樹脂モルタルを硬化させ、前記プレート本体を形成する工程と、
前記成形型から前記プレート本体を取り出す工程と、
前記プレート本体に前記樹脂モルタルの硬化前又は硬化後に固定手段を設置する工程と、
を含んでなることを特徴とするプレートの製造方法。
【請求項９】
前記固定手段は、前記プレート本体の一面部に設置された多数の鉤又はループで構成されたことを特徴とする請求項８記載のプレートの製造方法。
【請求項１０】
前記樹脂モルタルは、ジシクロペンテニールオキシエチレン及びメタアクリレートに、メトキシポリエチレングリコール♯９００、メタアクリレート又はその他の軟化剤を付与した主剤に促進剤とともにキュメンハイドロパーオキサイト又はその他の硬化剤を添加してなるアクリル系樹脂に、フィラーを配合してなることを特徴とする請求項８又は９記載のプレートの製造方法。
【請求項１１】
前記樹脂モルタルは、前記アクリル系樹脂にフィラー及び顔料を配合してなることを特徴とする請求項８記載のプレートの製造方法。
【請求項１２】
請求項１〜７記載のプレートが設置された建造物であって、
プレート本体の一面部に固定手段を一体に備え、前記固定手段を以て建造物の被固定面に着脱可能に前記プレートを床、壁又は天井に備えたことを特徴とする、プレートを用いた建造物。
【発明の詳細な説明】
【技術分野】
【０００１】
本発明は、樹脂モルタルを用いたプレートに関し、点字タイル等に好適なプレート、その製造方法及び建造物に関する。
【背景技術】
【０００２】
従来、歩道やプラットホームに設置された点字タイルや、点字ブロックは、陶器やコンクリート製が一般的であったが、近年、樹脂モルタルを一体成形してなる樹脂プレートが普及している。樹脂プレートは、軟化樹脂を成形加工したものであり、所望の形状や薄い形状のものを容易に形成でき、軽量であるとともに、柔軟性と機械的強度に優れる等の利点を有するものである。
【０００３】
このような樹脂プレートに関し、次のような特許文献が存在する。
【特許文献１】特許第３３３０３６０号公報
【発明の開示】
【発明が解決しようとする課題】
【０００４】
特許文献１には、点字タイルや点字ブロックとして用いることができるプレートの耐久性及び加工性を改善したものが開示されているが、このプレートでは、屋外の設置を目的とするものであって、その施工方法はプレートと同種の樹脂を用いて路上等に強固に固定するものである。このような樹脂による固定では、着脱は不可能であり、屋内の床等への設置には不向きである。
【０００５】
そこで、本発明は、施工が容易で、任意の箇所に着脱可能な構成としたプレート、その製造方法及び建造物を提供することを目的とする。
【課題を解決するための手段】
【０００６】
上記目的を達成するため、本発明のプレートは、樹脂モルタル（３０）からなるプレート（２）であって、プレート本体（８）の一面部に固定手段（カーペットタイル６、面ファスナー１０）を一体に備え、前記固定手段を以て着脱可能に固定される構成である。斯かる構成とすれば、着脱可能な固定手段を備えたプレートでは、床等の設置面に対して固定できるとともに、その取外しが可能となり、施工又はメンテナンスや再施工の容易化が図られる。
【０００７】
上記目的を達成するためには、前記プレート本体は、アクリル系樹脂（３２）を含む樹脂モルタル（３０）で一体成形された構成としてもよい。
【０００８】
上記目的を達成するためには、前記固定手段は、前記プレート本体の一面部に設置された多数の鉤（鉤部２２）又はループで構成してもよい。斯かる構成とすれば、床等に設置された既設の例えば、カーペットやカーペットタイル等の表面部の繊維ループに容易に着脱できるとともに、強固に固定することができる。
【０００９】
上記目的を達成するためには、前記固定手段は、前記プレート本体の一面部に接着剤層（１３）を備える構成としてもよい。斯かる構成とすれば、床等に設置された既設の例えば、樹脂タイル等の表面部に容易に着脱できるとともに、強固に固定することができる。
【００１０】
上記目的を達成するためには、前記固定手段は、前記プレート本体の一面部に備えられた多数の鉤と、この鉤と着脱可能な多数のループを備える支持体とを備える構成としてもよい。即ち、面ファスナーを備えた構成である。
【００１１】
上記目的を達成するためには、前記固定手段（面ファスナー１０）は、前記プレート本体（８）の一面部に備えた多数のループ（ループ部２８）と、このループと着脱可能な多数の鉤（鉤部２２）を備えた支持体（２０）とを備える構成としてもよい。即ち、面ファスナーを備えた構成である。
【００１２】
上記目的を達成するためには、前記支持体は、接着剤（２４）が塗布された被取付面を有する構成としてもよい。
【００１３】
上記目的を達成するため、本発明のプレートの製造方法は、プレート本体（８）の成形型（４２）にアクリル系樹脂（３２）を含む樹脂モルタル（３０）を充填する工程と、前記成形型内で前記樹脂モルタルを硬化させ、前記プレート本体を形成する工程と、前記成形型から前記プレート本体を取り出す工程と、前記プレート本体に前記樹脂モルタルの硬化前又は硬化後に固定手段（面ファスナー１０）を設置する工程とを含んでいる。
【００１４】
上記目的を達成するためには、前記固定手段は、前記プレート本体の一面部に設置された多数の鉤又はループで構成してもよい。
【００１５】
上記目的を達成するためには、前記樹脂モルタルは、ジシクロペンテニールオキシエチレン及びメタアクリレートにメトキシポリエチレングリコール♯９００、メタアクリレート又はその他の軟化剤を付与した主剤に促進剤とともにキュメンハイドロパーオキサイト又はその他の硬化剤を添加してなるアクリル系樹脂に、フィラーを配合してなる構成としてもよい。
【００１６】
上記目的を達成するためには、前記樹脂モルタルは、前記アクリル系樹脂にフィラー及び顔料を配合してなる構成としてもよい。
【００１７】
上記目的を達成するため、本発明の建造物は、前記プレートが設置された建造物（７０）であって、プレート本体の一面部に固定手段を一体に備え、前記固定手段を以て建造物の被固定面に着脱可能に前記プレートを床、壁又は天井に備えた構成である。プレートの設置は、建造物内の床だけでなく、壁又は天井に設置してもよい。
【発明の効果】
【００１８】
本発明によれば、次のような効果が得られる。
【００１９】
(1) 本発明のプレートによれば、屋内の床等に設置でき、必要に応じて着脱により、交換や設置位置の変更を行うことができる。また、このプレートは、壁や天井等にも設置でき、標識、装飾等の多様な用途に用いることができる。
【００２０】
(2) 本発明のプレートの製造方法によれば、施工が容易で、任意の箇所に着脱可能な構成としたプレートを容易に製造することができる。
【００２１】
(3) 本発明の建造物によれば、床等に点字タイルや点字ブロックとしてプレートが設置された建造物を容易に実現することができる。
【発明を実施するための最良の形態】
【００２２】
第１の実施形態
本発明の第１の実施形態について、図１、図２及び図３を参照して説明する。図１は、第１の実施形態のプレート及びその設置例を示す斜視図、図２は図１のII−II線断面の一部省略断面図、図３は図１のIII −III 線断面の一部省略断面図である。
【００２３】
この実施形態に係るプレート２は、屋内の点字タイルとして使用された一例である。プレート２は、床４に敷設されたカーペットタイル６に着脱可能に設置され、歩行者を誘導する識別標識として使用することができる。
【００２４】
プレート２は、板状のプレート本体８の裏面側に着脱可能な固定手段としての面ファスナー１０を備える構成である。この実施形態では、カーペットタイル６に面ファスナー１０が取り付けられる構成であり、カーペットタイル６はプレート２の固定手段を兼用している。プレート本体８は、例えば、アクリル系樹脂を含む黄色等に着色された樹脂モルタルで一体成形され、大半部分を一様な厚さに設定した正方形状の平坦部１２を備え、この平坦部１２の上面部には円錐台状の複数の突部１４が規則的に、例えば、２行２列に亘って形成され、また、平坦部１２の各角部は円弧部１６として形成されるとともに、周縁部側に下降するテーパ面部１８が形成されている。
【００２５】
このプレート本体８の裏面はフラット面に成形されており、この裏面側には、図２に示すように、シート状の面ファスナー１０が取り付けられている。この面ファスナー１０は、基材としての支持体２０の表面に多数の鉤部２２が植付けられ、その背面側に塗着された接着剤２４によりプレート本体８に強固に固定され、プレート本体８と一体化されている。鉤部２２は、カーペットタイル６等との整合性、固定性を維持するため、合成樹脂又は金属等で形成されている。
【００２６】
また、カーペットタイル６は、床４に接着剤２５等で固定される基材としての支持体２６に植え付けられた多数のループ部２８を備えている。各ループ部２８は、例えば、合成樹脂繊維等で構成されている。
【００２７】
斯かる構成とすれば、床４に敷設されたカーペットタイル６の表面のループ部２８にプレート２の面ファスナー１０の鉤部２２を載せ、プレート２の上面を床４側に押し付けることでカーペットタイル６にプレート２が固定される。この固定状態は、図３に示すように、カーペットタイル６上のループ部２８にプレート２側の鉤部２２が進入し、ループ部２８と鉤部２２との絡み合いにより両者が強固に固定される。
【００２８】
この場合、プレート２のプレート本体８の周囲部にテーパ面部１８が形成されているため、プレート本体８の形成材料が持つ周囲部の柔軟性とカーペットタイル６との密着性とにより、プレート２とカーペットタイル６との間に隙間の発生はなく、歩行者に対する歩行障害を来すことはない。歩行者は、足を通じてプレート本体８の平坦部１２と突部１４との凹凸感を認識し、プレート２の設置位置に誘導される。
【００２９】
そして、面ファスナー１０によって固定されているプレート２とカーペットタイル６とは、両者間にドライバの先等を挿入して引き剥がすことができ、交換等のメンテナンスを行うことができ、設置位置の変更も容易に行うことができる。
【００３０】
第２の実施形態
次に、本発明の第２の実施形態について、図４ないし図６を参照して説明する。図４ないし図６は、第２の実施形態のプレートの製造方法を示し、図４は樹脂モルタルの形成工程を示す図、図５はプレート本体の成形工程を示す図、図６は面ファスナーの取付工程を示す図である。
【００３１】
この実施形態に係るプレートの製造方法では、プレートの成形に用いる樹脂モルタルの形成工程、プレート本体の成形工程、面ファスナーの取付工程を含んでいる。これら各工程毎に説明する。
【００３２】
Ａ  樹脂モルタルの形成工程
このプレート２には樹脂モルタル３０が使用され、この樹脂モルタル３０の形成方法は次の通りである。即ち、原材料としてアクリル系樹脂３２、顔料３４及びフィラー３６が用いられる。これらアクリル系樹脂３２、顔料３４及びフィラー３６を合成樹脂製の攪拌容器３８に入れ、攪拌器４０で攪拌すれば、成形材料である樹脂モルタル３０が形成される。
【００３３】
アクリル系樹脂３２を構成する主剤、添加剤の組成及び構造式は、表１に示す通りである。
【００３４】
【表１】
2005220670.tif 000003
また、樹脂モルタル３０は、アクリル系樹脂３２、顔料３４及びフィラー３６を配合して形成され、その形態は、表２に示す通りである。
【００３５】
【表２】
2005220670.tif 000004
また、アクリル系樹脂３２、顔料３４及びフィラー３６の配合比は、表３に示す通りである。
【００３６】
【表３】
2005220670.tif 000005
そして、顔料３４は、例えば、酸化チタン、炭酸カルシウム、黄鉛等を選択し、点字タイル等用途に応じて黄鉛を使用すれば、黄色等、所望の着色が得られる。
【００３７】
Ｂ  プレート本体の成形工程
プレート本体８の成形には、例えば、図５の（Ａ）に示すように、プレート本体８の外形形状を表す成形型４２が用いられ、この成形型４２は合成樹脂で形成されている。この成形型４２にはプレート本体８の平坦部１２、突部１４、円弧部１６及びテーパ面部１８を内形状とするキャビティ４４が形成されている。
【００３８】
図５の（Ｂ）に示すように、成形型４２のキャビティ４４内に攪拌容器３８から取り出した所定量の樹脂モルタル３０を流し込み、樹脂モルタル３０の上面部を水平に維持する。流動性を備えた樹脂モルタル３０は成形型４２のキャビティ４４の形状に沿って流れ、その表面は水平面となる。この樹脂モルタル３０は成形型４２内で常温で維持して硬化させ、流体状から固体化させることができる。この状態で、成形型４２から硬化した樹脂モルタル３０を取り出すと、図１に示すプレート本体８が得られる。硬化した樹脂モルタル３０は柔軟性及び切断性を備えているので、プレート本体８の周縁部にバリ等が生じている場合には、ナイフ等の刃物で切り取り、成形することができる。
【００３９】
この場合、樹脂モルタル３０は、成形型４２のキャビティ４４内の成形面の表面性状に応じた被成形面をプレート本体８に現出させる特性を備えているので、プレート本体８の表面性状を光沢面に成形しようとすれば、成形型４２の成形面を光沢面とすればよい。
【００４０】
ここで、樹脂モルタル３０に含まれるアクリル系樹脂３２の特性について説明すると、アクリル系樹脂３２とは、ジシクロペンテニールオキシエチレン及びメタアクリレートに軟化剤を混入したものを主剤とし、この主剤に上記の硬化剤、遅延剤又は促進剤の何れかを選択的に一定の比率で添加し、又は前記主剤に遅延剤、硬化剤及び促進剤の全部を一定の比率で添加して得られる。このアクリル系樹脂３２は、主剤に促進剤を混ぜて攪拌した後、硬化剤を混ぜて攪拌することにより得られ、８０〜１００ｍＰａ・ａの低粘度であって、含浸性に優れ、コンクリートの空隙部やアスファルト壁面に浸透する性質がある。また、毛細管現象により、被付着物の表面を這い上がり、散布骨材等に強力に固着する性質を有する。このアクリル系樹脂３２は、熱硬化性樹脂であるため、硬化後は、再加熱しても液化しない。また、発熱反応で固化するため、樹脂量が多いほど硬化時間が短く、厚みが厚い程早く、薄い場合には遅い。
【００４１】
Ｃ  面ファスナーの取付工程
成形型４２から成形されたプレート本体８を取り出し、図６の（Ａ）に示すように、基台４６の上面に突部１４を下側に裏面を上側にして載置する。このプレート本体８のフラットな裏面上に面ファスナー１０の接着面を当て、接着剤２４により固定する。この結果、図６の（Ｂ）に示すように、裏面側に面ファスナー１０を備えたプレート２が得られる。
【００４２】
このようなプレートの製造方法によれば、強靱で柔軟性を持つプレート２を容易にしかも迅速に製造することができ、点字タイル等として利用することができる。
【００４３】
第３の実施形態
次に、本発明の第３の実施形態について、図７を参照して説明する。図７は、第３の実施形態のプレートの製造方法を示し、プレート本体の成形工程及び面ファスナーの取付工程を示す図である。
【００４４】
Ａ  プレート本体の成形工程
第２の実施形態と同様に、成形型４２でプレート本体８を形成する。詳細は第２の実施形態と同様であるので、その説明を省略する。
【００４５】
Ｂ  面ファスナーの取付工程
図７の（Ａ）に示すように、成形型４２に充填された樹脂モルタル３０が硬化する前、即ち、軟化状態にある樹脂モルタル３０上に昇降治具４８に保持させた面ファスナー１０を下降させ、その支持体２０を図７の（Ｂ）に示すように、樹脂モルタル３０の表面上に一体的に保持し、この状態で樹脂モルタル３０を硬化させ｛図７の（Ｃ）｝、プレート本体８の成形とともに、面ファスナー１０の取付けを行う。
【００４６】
そして、成形されたプレート本体８を取り出せば、図１に示すように、裏面側に面ファスナー１０を備えたプレート２が同様に得られる。この場合、図２に示すプレート２と異なり、プレート本体８と面ファスナー１０とがインサート成形により一体化されているので、両者の結合強度を高めたプレート２が得られている。
【００４７】
第４の実施形態
本発明の第４の実施形態について、図８を参照して説明する。図８は、第４の実施形態のプレートの設置方法を示す斜視図である。プレート２の設置面がフラットな床面５０である場合には、この床面５０にループ側の面ファスナー５２を設置し、この面ファスナー５２にプレート２を設置してもよい。この場合、面ファスナー５２は、シート状の支持体５３の表面にループ部５５、接着剤５７を備えている。このような構成によれば、床面５０にカーペットタイル６を設置する必要がない。接着剤５７は、面ファスナー５２と一体とすることなく、床面５０に塗布する構成としてもよい。
【００４８】
第５の実施形態
本発明の第５の実施形態について、図９を参照して説明する。図９は、第５の実施形態のプレートの設置方法を示す斜視図である。プレート２の設置面がフラットな床面５０である場合には、この床面５０に面ファスナー５２を取り付けた設置シート５４を敷設し、この設置シート５４の面ファスナー５２上にプレート２を設置する構成としてもよい。第４の実施形態と同一部分には同一符号を付し、その説明を省略する。
【００４９】
第６の実施形態
本発明の第６の実施形態について、図１０を参照して説明する。図１０は、第６の実施形態に係るプレート及びその設置方法を示している。この実施形態において、前記実施形態と同一部分には同一符号を付してある。
【００５０】
前記実施形態では、固定手段として面ファスナー１０を用いているが、面ファスナー１０に代え、図１０の（Ａ）に示すように、両面テープ１１を使用してもよく、両面テープ１１は、プレート本体８の裏面に接着された接着剤層１３と、その露出面を保護する剥離シート１５とで構成されている。
【００５１】
斯かる構成とすれば、プレート２の裏面側の剥離シート１５を剥がして接着剤層１３を露出させ、この接着剤層１３により樹脂面からなる床として例えば、図１０の（Ｂ）に示すように、床４に接着剤２５で貼着された樹脂タイル７の表面部にプレート２を接着により設置することができる。接着剤層１３による固定であるから、プレート２は引き剥がすことが可能である。
【００５２】
この場合、両面テープ１１に代え、接着剤をプレート２の裏面側に塗布し、この接着剤により樹脂タイル７上に固定するようにしてもよい。また、樹脂タイル７に代えてプレート２を設置する構成としてもよい。
【００５３】
第７の実施形態
本発明の第７の実施形態について、図１１を参照して説明する。図１１は、第７の実施形態のプレートの一部を示す斜視図である。プレート２の突部１４の頂面部には例えば、図１１に示すように、多数の突起５６を形成する等、凹凸部を形成してもよい。このような突起５６の形成により、突部１４の認識度を高めることができる。
【００５４】
第８の実施形態
本発明の第８の実施形態について、図１２を参照して説明する。図１２は、第８の実施形態のプレートの固定構造を示す図である。プレート２側の鉤部２２は、プレート本体８の下面側又は支持体２０に支柱部５８を一体に形成し、この支柱部５８の先端部に円錐状の傘部６０を形成した形態でもよい。この場合、対応するカーペットタイル６又は面ファスナー５２側には多数のループ部２８又は５５を備えれば、プレート２を強固に固定できるとともに、容易に着脱させることができる。
【００５５】
第９の実施形態
本発明の第９の実施形態について、図１３を参照して説明する。図１３は、第９の実施形態のプレートの固定構造を示す図である。プレート２側の鉤部２２は、プレート本体８の下面側又は支持体２０に支柱部６２を一体に形成し、この支柱部６２の先端部に半球状の傘部６４を形成した形態でもよい。この場合、対応する面ファスナー５２に代えて、固定手段として、合成樹脂等の柔軟性材料で形成された例えば、板状の支持体６５に多数の嵌合凹部６６とともに、鉤部６８を備えれば、プレート２を強固に固定できるとともに容易に着脱させることができる。
【００５６】
第１０の実施形態
本発明の第１０の実施形態について、図１４を参照して説明する。図１４は、第１０の実施形態の建造物を示す図である。
【００５７】
プレート２は建造物７０の床面７２及び壁面７４に設置してもよい。この場合、外観形態もプレート２Ａ、２Ｂのように、表面をフラットに形成してもよく、長方形状としてもよい。また、長方形状のプレート２Ｃでは、突部１４に代えて複数本の突条７６を構成してもよい。壁面７４に設置すれば、建造物７０では、室内空間のプレート２による装飾効果、防音効果、反響防止の音響効果等が期待できる。
【００５８】
なお、上記実施形態では、プレート２側に鉤部２２、設置面側にループ部２８を設置する構成としたが、プレート２側にループ部２８、設置面側に鉤部２２を設置する構成としてもよい。
【００５９】
上記実施形態では、面ファスナー１０又は５２に接着剤２４又は５７を備える構成として説明したが、接着剤２４又は５７を任意にプレート２側に塗布して接着する構成としてもよい。
【００６０】
また、実施形態では、点字タイルを例に取って説明したが、本発明のプレートは点字タイル以外のものに用いてもよく、実施形態に限定されるものではない。
【００６１】
また、実施形態では、樹脂モルタルの組成及び構造式を例示したが、本発明に係るプレート、プレート本体の一部又は全部を樹脂以外の金属、木等で構成してもよい。
【００６２】
また、実施形態では、樹脂モルタル３０に細骨材を用いない例を示したが、珪砂等の細骨材等を含有させた樹脂モルタルを用いてもよい。
【００６３】
以上説明したように、本発明の最も好ましい実施形態等について説明したが、本発明は上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００６４】
本発明は、屋内の床等の設置や交換等が容易で、点字タイル等に利用可能なプレート及びその製造方法、そのプレートを設置した建造物を提供し、有用である。
【図面の簡単な説明】
【００６５】
【図１】本発明の第１の実施形態に係るプレート及びその設置例を示す斜視図である。
【図２】図１のII−II線断面図である。
【図３】図１のIII −III 線断面図である。
【図４】本発明の第２の実施形態に係るプレートの製造方法における樹脂モルタルの形成工程を示す図である。
【図５】プレート本体の成形工程を示す断面図である。
【図６】面ファスナーの取付工程を示す断面図である。
【図７】本発明の第３の実施形態に係るプレートの製造方法における面ファスナーの取付工程を示す断面図である。
【図８】本発明の第４の実施形態に係るプレートの設置方法を示す斜視図である。
【図９】本発明の第５の実施形態に係るプレートの設置方法を示す斜視図である。
【図１０】本発明の第６の実施形態に係るプレート及びその設置方法を示す断面図である。
【図１１】本発明の第７の実施形態に係るプレートの一部を示す斜視図である。
【図１２】本発明の第８の実施形態に係るプレートの固定手段を示す図である。
【図１３】本発明の第９の実施形態に係るプレートの固定手段を示す図である。
【図１４】本発明の第１０の実施形態に係る建造物を示す図である。
【符号の説明】
【００６６】
２  プレート
６  カーペットタイル（固定手段）
８  プレート本体
１０  面ファスナー（固定手段）
１３  接着剤層
２０  支持体
２２  鉤部
２４  接着剤
２８  ループ部
３０  樹脂モルタル
３２  アクリル系樹脂
４２  成形型
７０  建造物
【図１】
2005220670.tif 000006
【図２】
2005220670.tif 000007
【図３】
2005220670.tif 000008
【図４】
2005220670.tif 000009
【図５】
2005220670.tif 000010
【図６】
2005220670.tif 000011
【図７】
2005220670.tif 000012
【図８】
2005220670.tif 000013
【図９】
2005220670.tif 000014
【図１０】
2005220670.tif 000015
【図１１】
2005220670.tif 000016
【図１２】
2005220670.tif 000017
【図１３】
2005220670.tif 000018
【図１４】
2005220670.tif 000019